(57)【要約】【課題】鏡餅包装物の下に敷くための四方紅の取扱い上の便宜を図った鏡餅包装体を提供すること。【解決手段】鏡餅形状のプラスチック容器に餅を収納してなる鏡餅包装物１０とその鏡餅包装物１０の下に敷くための四方紅（折畳み物２０に入っている）とを備えた鏡餅包装体であって、四方紅を四つ折りにし、その四つ折りにした四方紅を取付手段（折畳み物２０と金ゴム２１）により鏡餅包装物１０に添付した構成とする。四方紅を店頭で重ねて置いてある場合のように、風で飛んだり、購入した消費者が持ち帰るのを忘れたりすることがない。そして、鏡餅包装物から四方紅を取り外し、広げて鏡餅包装物の下に敷けばよいことから、四方紅の取扱いが便利になり、鏡餅包装物の商品としての付加価値を高めて販売効果を高めることができる。【選択図】図１
2008022931.tif 000002
【特許請求の範囲】
【請求項１】
鏡餅形状のプラスチック容器に餅を収納してなる鏡餅包装物とその鏡餅包装物の下に敷くための四方紅とを備えた鏡餅包装体であって、四方紅を四つ折りにし、その四つ折りにした四方紅を取付手段により鏡餅包装物に添付したことを特徴とする鏡餅包装体。
【発明の詳細な説明】
【技術分野】
【０００１】
本発明は、鏡餅形状のプラスチック容器に餅を収納してなる鏡餅包装物の技術分野に属し、詳しくは、鏡餅包装物の販売形態を考慮した鏡餅包装体に関するものである。
【背景技術】
【０００２】
旧来より、日本では、正月や祝い事の際に重ね鏡餅を飾り付けたり、或いは神棚に重ね鏡餅を供えたりする習慣がある。一方、時代の移り変わりに伴い、日本の住宅も気密性が高まってきており、このことが鏡餅にとっても大きな影響を及ぼしている。すなわち、気密性の高い住宅は、冷暖房の行き届いた現代社会にあっては快適な空間を提供するが、鏡餅にとっては従来発生しにくかった有害なカビまでも誘発する原因の一つになってきている。したがって、鏡開きまでの間にカビが発生し、せっかくの鏡開きの日にカビで鏡餅をいただくことができなくなってしまうという事態が生じている。そこで、最近では、外観が重ね鏡餅形状をしたプラスチック製の容器に、本物の餅を封入したり個別包装（脱酸素剤入り）の小さな餅を封入した所謂「上下一体パック鏡餅」が数多く販売されている。そして、この上下一体パック鏡餅の上に載せるプラスチック製の擬似橙（だいだい）を併せてセットしたものも販売されている。
【特許文献１】特開平１１−２７８５７０号公報
【特許文献２】特開平１１−３４１９５９号公報
【特許文献３】特開２００１−１４９２１２号公報
【発明の開示】
【発明が解決しようとする課題】
【０００３】
ところで、一般に鏡餅を飾り付けるに際しては、２段重ねの鏡餅の上に橙や紙飾りをセットするともに、鏡餅の下に紙製の四方紅を敷くようになっている。そこで、上記のような鏡餅包装物を販売する店頭では、四方紅を別に準備しておき、消費者に持ち帰るようにしてもらっている。ところが、簡単に取れるように重ねて置いてあるだけなので、風で飛んでしまったり、購入した消費者が多く取りすぎたり持ち帰るのを忘れたりすることがあった。
【０００４】
本発明は、このような事情に鑑みてなされたものであり、その目的とするところは、鏡餅包装物の下に敷くための四方紅の取扱い上の便宜を図った鏡餅包装体を提供することにある。
【課題を解決するための手段】
【０００５】
上記の目的を達成するため、本発明の鏡餅包装体は、鏡餅形状のプラスチック容器に餅を収納してなる鏡餅包装物とその鏡餅包装物の下に敷くための四方紅とを備えた鏡餅包装体であって、四方紅を四つ折りにし、その四つ折りにした四方紅を取付手段により鏡餅包装物に添付したことを特徴としている。
【発明の効果】
【０００６】
本発明の鏡餅包装体は、四つ折りにした四方紅を取付手段により鏡餅包装物に添付したものであるので、四方紅を店頭で重ねて置いてある場合のように、風で飛んだり、購入した消費者が多く取りすぎたり持ち帰るのを忘れたりするようなことがない。そして、鏡餅包装物から四方紅を取り外し、広げて鏡餅包装物の下に敷けばよいことから、四方紅の取扱いが便利になり、鏡餅包装物の商品としての付加価値を高めて販売効果を高めることができる。
【発明を実施するための最良の形態】
【０００７】
次に、本発明の実施の形態について図面を参照しながら詳細に説明する。
【０００８】
図１は本発明に係る鏡餅包装体の一例を前方斜めから見た状態で示す斜視図、図２は同じく後方斜めから見た状態で示す斜視図である。
【０００９】
鏡餅包装体Ａは、プラスチック容器に鏡餅を収納してなる鏡餅包装物１０とその鏡餅包装物１０の下に敷くための四方紅とを備えて構成されており、この例では折畳み物２０に四方紅が入っている。
【００１０】
鏡餅包装物１０は、２段の重ね鏡餅形状をした収納部１１に餅を入れ、その収納部１１の下端で外側に延びるフランジ部１２にフィルムをシールすることで密封充填したものである。収納部１１に入れる餅は、大小２つの餅でもよいし、小さな餅を個包装したものでもよく、収納部１１のサイズ等に応じて適宜のものを入れればよい。そして、図示の例では、この鏡餅包装物１０の上段部に、鏡餅飾りＳを止め付けるカプセル１３が取り付けられており、そのカプセル１３のくびれた下部に金ゴム２１を掛けることにより四方紅入りの折畳み物２０が取り付けられている。また、この金ゴム２１には折畳み物２０と反対側に水引２２が取り付けられている。
【００１１】
鏡餅包装物１０の上部に取り付けられるカプセル１３は、透明なプラスチックシートからなる成形品で、鏡餅飾りＳを収納する保持部１３ａと被覆部１３ｂとからなり、被覆部１３ｂは鏡餅包装物１０の上段部分に対応する形状をしている。そして、鏡餅包装物１０の上に例えば図示のような橙の鏡餅飾りＳを載せた状態でカプセル１３を上方から被せ付けることで、鏡餅包装物１０に対して鏡餅飾りＳが止め付けられている。カプセル１３に入れる鏡餅飾りＳとしては、橙や干支の他に各種の縁起物、例えば、招き猫、獅子頭、宝船などでもよい。また、郷愁をそそって販売促進に寄与するようなものでもよい。
【００１２】
四方紅の入った折畳み物２０は、次の手順で作成されたものである。まず、図３（ａ）に示す四方紅３０、すなわち周囲四辺に沿った帯状部分３０ａが紅色でその残りの白い内側部分３０ｂに鏡餅包装物１０のフランジ部１２が載るサイズになっている用紙を準備し、この四方紅３０を図３（ｂ）に示すように四つ折りにする。次に、図４に示すように、四つ折りした四方紅３０を三つ折りの包装紙２３でくるんだ後、図５に示すように、三つ折りした包装紙２３における背中の重ね合わせ部分を覆って接着テープ２４で止める。この時、図示の如く金ゴム２１も接着テープ２４で止めるようにする。具体的には、水引２２の付いた金ゴム２１を予め準備しておき、接着テープ２４の両辺中央に設けた切欠２４ａにその金ゴム２１が水引２２とは反対側で通るようにして止める。これにより、図６に示すように、四方紅が中に入った折畳み物２０ができるとともに、その折畳み物２０の裏側に金ゴム２１が取り付けられ、その金ゴム２１に水引２２の付いたものが完成する。
【００１３】
このようにして金ゴム付きの折畳み物２０を作製した後、鏡餅包装物１０の上部に取り付けられたカプセル１３をくぐらせるようにして金ゴム２１を通し、カプセル１３のくびれた下部に金ゴム２１を掛けることで、図１及び図２に示すように、鏡餅包装物１０と四方紅入りの折畳み物２０とが一体となった鏡餅包装体Ａができ上がる。そして、この鏡餅包装体Ａを購入した消費者は、金ゴム２１から折畳み物２０を取り外し、その折畳み物２０から四方紅３０を取り出し、広げて鏡餅包装物１０の下に敷けばよい。なお、包装紙２４の表側となる面に絵柄等の印刷を施しておくことにより、アイキャッチ効果を発揮することができ、ＰＯＰ的な使い方ができる。
【００１４】
以上、本発明の実施の形態について詳細に説明してきたが、本発明による鏡餅包装体は、上記した実施の形態に何ら限定されるものではなく、本発明の趣旨を逸脱しない範囲において種々の変更が可能である。
【００１５】
例えば、上記の例では、四つ折りにした四方紅を入れた折畳み物に金ゴムを付け、その金ゴムにより鏡餅包装物に添付するようにしたが、これはあくまでも一例に過ぎないものであり、四つ折りした四方紅を鏡餅包装物に添付するための取付手段は任意である。
【００１６】
また、上記の例では、鏡餅飾りを止め付けるカプセルを使用したが、このようなカプセルを使用しなくても構わない。
【００１７】
また、上記の例では、橙の鏡餅飾りを使用した場合を挙げたが、干支の置物でもよいし、或いは前記したような他の飾りでもよいことは言うまでもないことである。
【図面の簡単な説明】
【００１８】
【図１】本発明に係る鏡餅包装体の一例を前方斜めから見た状態で示す斜視図である。
【図２】図１の鏡餅包装体を後方斜めから見た状態で示す斜視図である。
【図３】四方紅を四つ折りする手順を示す説明図である。
【図４】四つ折りした四方紅を折畳み物とする手順を示す説明図である。
【図５】四方紅を入れた折畳み物に金ゴムを付ける様子を示す説明図である。
【図６】金ゴムを付けた折畳み物を示す斜視図である。
【符号の説明】
【００１９】
Ａ  鏡餅包装体
Ｓ  鏡餅飾り
１０  鏡餅包装物
１１  収納部
１２  フランジ部
１３  カプセル
１３ａ  保持部
１３ｂ  被覆部
２０  折畳み物
２１  金ゴム
２２  水引
２３  包装紙
２４  接着テープ
２４ａ  切欠
【図１】
2008022931.tif 000003
【図２】
2008022931.tif 000004
【図３】
2008022931.tif 000005
【図４】
2008022931.tif 000006
【図５】
2008022931.tif 000007
【図６】
2008022931.tif 000008